(57)【要約】本発明は、３つのカラーセグメント６１の少なくとも２つの同一平面にサブセットを含むカラーホイール６を備えるイメージャの連続照明のためのシステムに関する。カラーホイール６は、原色６１Ｒ、６１Ｇ及び６１Ｂのセグメントの少なくとも１つのサブセットと、コンポジットカラーのセグメントの１つのサブセットを備える。コンポジットカラーのセグメントのサブセットは、赤及び緑に対応する波長のレンジで透過するセグメント６１Ｙ（ＲＧ）、緑及び青に対応する波長のレンジで透過するセグメント６１Ｃ（ＧＢ）、並びに、赤及び青に対応する波長のレンジで透過するセグメント６１Ｍ（ＢＲ）を備えている。したがって、画像表示システムの光度が改善され、「カラーブレイクアップ」現象が相当に低減される。本発明は、対応する投影機器にも関する。
2007504514.tif 000002
【特許請求の範囲】
【請求項１】
イメージャを連続して照明するシステムであって、
少なくとも赤、緑及び青を含む波長のレンジで多色灯のビームを前記イメージャに向けて放出するソースと、
前記イメージャの動作領域にわたり前記ソースからの光を一様に分散するための光学的手段と、
少なくとも２つの同一平面にある透過型セグメントのサブセットを有し、これらセグメントのうちの少なくとも１つが前記ビームと交わるように位置され、前記セグメントに前記ビームが交わる領域を次々にファイルさせるやり方で回転手段に設けられるカラーホイールとを備えており、
それぞれの同一平面にあるセグメントのサブセットは、前記ビームが交わる領域を次々にファイルしたときに参照の白を構成するために調整される異なる色、色合い、飽和、透過率及びサイズからなる３つのセグメントを有し、
前記カラーホイールは、赤に対応する波長のレンジで透過するセグメント、緑に対応する波長のレンジで透過するセグメント、及び青に対応する波長のレンジで透過するセグメントを含む少なくとも１つの原色のセグメントのサブセットを有しており、
前記カラーホイールは、赤及び緑に対応する波長のレンジの両者で少なくとも部分的に透過するセグメント、緑及び青に対応する波長のレンジの両者で少なくとも部分的に透過するセグメント、及び赤及び青に対応する波長のレンジの両者で少なくとも部分的に透過するセグメントを含むコンポジットカラーからなる同一平面にあるセグメントの少なくとも１つのサブセットを備え、同一のセグメントの前記コンポジットカラーのいずれも白の色合いを生成しない、
ことを特徴とするシステム。
【請求項２】
前記ソースにより放出される多色灯のビームの波長の前記レンジは、黄色及び／又はシアンを含む、
請求項１記載のイメージャを連続して照明するシステム。
【請求項３】
前記コンポジットカラーからなる同一平面にあるセグメントの少なくとも１つのサブセットでは、赤及び緑に対応する波長のレンジの両者で少なくとも部分的に透過する前記セグメントは、黄色のトーンに等価な波長のレンジで少なくとも部分的に透過し、及び／又は、緑及び青に対応する波長のレンジの両者で少なくとも部分的に透過する前記セグメントは、シアンのトーンに等価な波長のレンジで少なくとも部分的に透過し、及び／又は、赤及び青に対応する波長のレンジの両者で少なくとも部分的に透過する前記セグメントは、マゼンダのトーンに等価な波長のレンジで少なくとも部分的に透過する、
ことを特徴とする請求項２記載のイメージャを連続して照明するシステム。
【請求項４】
それぞれの同一平面にあるサブセットのセグメントは、このコンポジットカラーセグメントが透過する原色の２つのセグメント間にコンポジットカラーのそれぞれのセグメントが位置されるように配置される、
ことを特徴とする請求項１乃至３のいずれか記載のイメージャを連続して照明するシステム。
【請求項５】
前記カラーホイールは、原色のセグメントの同一平面にあるサブセットの赤セグメントの赤に関して非飽和とされた赤に対応する波長のレンジで透過するセグメント、原色のセグメントの同一平面にあるサブセットの緑セグメントの緑に関して非飽和とされた緑に対応する波長のレンジで透過するセグメント、及び原色のセグメントの同一平面にあるサブセットの青セグメントの青に関して非飽和とされた青に対応する波長のレンジで透過するセグメントを含む、非飽和とされた色のセグメントの少なくとも１つの同一平面にあるサブセットを備える、
ことを特徴とする請求項１記載のイメージャを連続して照明するシステム。
【請求項６】
前記非飽和とされた色のセグメントは、非飽和とされた色のそれぞれのセグメントが等価な色合いの原色のセグメントに隣接するように配置される、
ことを特徴とするイメージャを連続して照明するシステム。
【請求項７】
前記カラーホイールは黒のセグメントを含まない、
ことを特徴とする請求項１乃至６の何れか記載のイメージャを連続して照明するシステム。
【請求項８】
前記照明システムにより照明されるイメージャは、行及び列に配列される画素のアレイ、前記イメージャの画像を投影スクリーンに投影するために設計される投影レンズを有する、
請求項１乃至８の何れか記載の照明システムを備える画像ビューイングシステム。
【請求項９】
前記イメージャの画素の書き込みを命令するように前記画像のビデオデータを管理し、
原色に関するビデオ入力データを受信するビデオ入力インタフェース、前記イメージャに書き込むためのビデオ出力データを送出するビデオ出力インタフェース、及びメモリを有するビデオデータ管理手段と、
前記イメージャでの照明の色に従ってビデオ出力データを同期させる同期手段とを備え、
前記ビデオデータ管理手段は、前記メモリにおいて、原色に関するビデオ入力データを、原色及び／又はコンポジットカラー及び／又は非飽和とされた色に関するビデオ出力データに変換する係数及び／又は値からなる少なくとも１つのテーブルを備える、
ことを特徴とする請求項７記載の画像ビューイングシステム。
【請求項１０】
イメージャの連続的な照明のためのシステムであって、
少なくとも赤、緑及び青を含む波長のレンジで多色灯のビームを前記イメージャに向けて放出するソースと、
前記イメージャの動作領域にわたり前記ソースからの光を一様に分散するための光学的手段と、
少なくとも２つの同一平面にある反射型セグメントのサブセットを有し、これらセグメントのうちの少なくとも１つが前記ビームと交わるように位置され、前記セグメントに前記ビームが交わる領域を次々にファイルさせるやり方で回転手段に設けられるカラーホイールとを備え、
それぞれのセグメントの同一平面にあるサブセットは、前記ビームが交わる領域を次々にファイルしたときに参照の白を構成するために調整される異なる色、色合い、飽和、反射率及びサイズの３つの同一平面にあるセグメントを有し、
前記カラーホイールは、赤に対応する波長のレンジで反射するセグメント、緑に対応する波長のレンジで反射するセグメント、及び青に対応する波長のレンジで反射するセグメントを含む原色のセグメントの少なくとも１つのサブセットを有し、
前記カラーホイールは、赤及び緑に対応する波長のレンジの両者で少なくとも部分的に反射するセグメント、緑及び青に対応する波長のレンジの両者で少なくとも部分的に反射するセグメント、及び赤及び青に対応する波長のレンジの両者で少なくとも部分的に反射するセグメントを含むコンポジットカラーの同一平面にあるセグメントの少なくとも１つのサブセットを備え、同一のセグメントの前記コンポジットカラーのいずれも白の色合いを生成しない、
ことを特徴とするシステム。
【請求項１１】
少なくとも１つのイメージャ、請求項１乃至１０のいずれか記載の前記イメージャのそれぞれを連続的に照射するためのシステム、及び１以上の前記イメージャにより形成された画像を投影する手段を備える、
ことを特徴とする投影機器。
【発明の詳細な説明】
【技術分野】
【０００１】
本発明は、所定の画像の投影及び／又はビューイングシステムで使用されるイメージャ又は空間光変調器（SLM:  Spatial  light  Modulator）の連続照明のためのシステムに関する。
【背景技術】
【０００２】
プロジェクタ又はバックプロジェクタとして一般に知られている画像を投影及び／又はビューするためのシステムは、プロジェクタのケースで投影がスクリーンの前からであるか、バックプロジェクタのケースで投影がスクリーンの後からであるかに依存して、全て同じ原理で機能する。照明システムは、たとえば、特にシリコンからなるアクティブマトリクスを形成する基板上に行と列で配置される、たとえばＬＣＯＳ（Liquid-Crystal  On  Silicon）又はＤＭＤ（Digital  Micro-Mirror  Device/Display）又はＨＴＰＳ（Transmissive  High  Temperature  Polysilicon）タイプの画素からなるアレイを含む１以上の画像を一様に照明する。照明システムからの光は、たとえばＬＣＯＳ又はＤＭＤタイプでは、透過型イメージャのケースでは１以上のイメージャを透過し、反射型イメージャのケースでは１以上のイメージャから反射されて変調される。このように変調された光は、次いで、投射レンズを通してスクリーンに投影される。カラー画像を生成するため、１以上のイメージャは、一般に赤、緑及び青の光（ＲＧＢ）である１以上のカラー光のビームで照射される。
【０００３】
画像投影及び／又はビューイングシステムは、３つのイメージャを備えており、それぞれのイメージャは、３原色ＲＧＢのうちの１つの対応するカラー光のビームにより照射される。これら３つのイメージャによるイメージビューイングシステムは複雑にされる。これは、イメージャを透過／反射した３つのカラー光のビームは、スクリーンに投影される用意がされる単一の変調光のビームを形成するために結合される必要があるからである。使用されるイメージャの数とは別に、これら画像ビューイングシステムは、大きくかつ高価な光学素子の使用を必要とする。たとえば、ＩＢＭ特許US5863125に記載される画像投影システムのようなイメージ投影及び／又はビューイングシステムが存在する。この文献では、それぞれのイメージャは、カラー光のビームで交互に照射され、フレームの画素の書き込みのためのデータの電子アドレス指定及び液晶の応答時間に関連する画素の安定化は、照射されていないイメージャで行われる。イメージャを照射することができない、数ミリ秒のオーダのこの周期は、「デッドタイム」と呼ばれる。ＩＢＭ文献に記載される画像投影システムは、２つのイメージャが存在するために依然として複雑かつ高価であるが、このデッドタイムを管理するという利点を有している。さらに、たとえば、ＬＣＯＳ（Liquid  Crystal  On  Silicon）又はＤＭＤ（Digital  Micro-mirror  Device/Display）タイプのイメージャは、以前の限りではないデッドタイムを示しており、ＤＭＤタイプのイメージャは、たとえば４００Ｈｚを超える高い周波数で実際に動作することができる。
【０００４】
したがって、今日、幾つかのイメージャを含む画像投影システムよりも小型かつ安価である、透過型又は反射型のモノバルブシステムとして知られる、１つのイメージャを含む画像投影システムにトレンドが向けられている。
【０００５】
カラー画像を生成するため、このタイプの投影システムは、一般に赤Ｒ、緑Ｇ及び青Ｂの３原色である異なる色の画像を連続的にスクリーンに表示する。これら画像投影システムは、たとえばカラーホイールの使用により赤、緑及び青の間で交互になる光であり唯一のイメージャを照射するための照射装置を一般に備えている。これらのカラーホイールは、たとえば、カラーフィルタの使用により透過型であるか反射型である、赤セグメントＲ、緑セグメントＧ及び青セグメントＢを一般に備えている。イメージャの画素の書き込みを要求するビデオデータは、最も少ない可能な欠陥の数を視聴者に与える画像を形成するように、イメージャの照射の色で同期される。しかし、このタイプの単一のイメージャを使用するイメージャ投影及び／ビューイングシステムは、マルチイメージャシステムとの比較により所定の問題を有する。たとえば、イメージャは、少なくとも１５０〜１８０Ｈｚである原色の３つのセグメントを有するカラーホイールのケースでは画像周波数の一般に３倍、原色のｎ個のセグメントを有するカラーホイールを使用したときに画像周波数のより一般的にｎ倍といった高周波で動作する必要がある。さらに、１つの色が同時に表示されたとすると、光源からの光束の著しい割合が失われる。したがって、投影される画像の発光を改善するため、カラーホイールのなかには、たとえば特許US5233385でTexas  Instrumentにより記載される装置のような白のセグメントを備えているものがある。この装置は、白の概観の多色灯（polychromatic  light）の存在のため、色が非飽和（少ない明るさ）とされたときに色品質を犠牲にして、より明るい画像が表示されるのを可能にする。スクリーンへの異なる色のイメージャの連続表示に関連される別の問題点は、たとえば画像における所定のオブジェクトが迅速に動くとき、又は目の突然の動き、瞬き、ビジュアルジャダー又は視聴する状態における他の鋭い変化があるとき、原色ＲＧＢの分解又は分離の見る人による認識である。この色が急変する現象（カラーブレイクアップ現象）は、たとえば、視聴者の目がスクリーンを急速に走査するとき、又は静止している視聴者に関して急速に動く画像のケースで、静止画像でそれ自身を明らかにする。このカラーブレイクアップ現象を低減するための方法の１つは、イメージャの表示及び／又は連続照射周波数を増加することにある。カラーホイールのなかには、Texas  Instrumentの米国特許US5448314に記載されるような３つのセグメントのカラーＲＧＢの２つのコプレナーサブセットの形式で、６つのカラーセグメントを備えているものがある。イメージャの表示及び／又は連続照射の周波数は、赤の照射から緑の照射、続いて青の照射への遷移が突然のままであるが２倍となり、カラーブレイクアップ現象は低減されるが、この種の現象について他よりも敏感な所定の視聴者にとって、依然として見ることができる。
【発明の開示】
【課題を解決するための手段】
【０００６】
本発明の目的は、これらの問題点を回避することにある。
上記目的を達成するために、本発明はイメージャの連続的な照明のためのシステムに関し、本システムは、少なくとも赤、緑及び青を含む波長のレンジで多色灯のビーム（polychromatic  beam）をイメージャに向けて放出するソース、イメージャの動作領域にわたりソースからの光を一様に分散するための光学的手段、少なくとも２つの同一平面にある透過型セグメントのサブセットを有し、これらセグメントのうちの少なくとも１つが前記ビームと交わるように位置され、前記セグメントに前記ビームが交わる領域を次々にファイルさせるやり方で回転手段に設けられるカラーホイールを備えており、それぞれのセグメントのサブセットは、前記ビームが交わる領域を次々にファイルしたときに参照の白を構成するために調整される異なる色、色合い、飽和、透過率及びサイズの３つのセグメントを有する。カラーホイールは、赤に対応する波長のレンジで透過するセグメント、緑に対応する波長のレンジで透過するセグメント、青に対応する波長のレンジで透過するセグメントを含む、少なくとも１つの原色のサブセットを有しており、前記カラーホイールは、赤及び緑に対応する波長のレンジの両者で少なくとも部分的に透過するセグメント、緑及び青に対応する波長のレンジの両者で少なくとも部分的に透過するセグメント、及び赤及び青に対応する波長のレンジの両者で少なくとも部分的に透過するセグメントを含む、コンポジットカラーの同一平面にあるセグメントの少なくとも１つのサブセットを有しており、前記セグメントの前記コンポジットカラーのいずれも、白の色合いを個別に生成しないことを特徴とする。
【０００７】
コンポジットカラーのセグメントのサブセットの存在の１つの利点は、コンポジットカラーのそれぞれのセグメントは、同じサイズの原色の２つのセグメントに等価である点である。したがって、たとえば原色の３つのセグメントのサブセット及びコンポジットカラーの３つのセグメントのサブセットを有するカラーホイール、同じサイズである全てのセグメントは、同じサイズの原色の仮想的に９つのセグメントを有するホイールに等価である。これにより、５０％のオーダの光度におけるゲインとなる。さらに、照明装置のカラーホイールは、たとえば、３つのカラーセグメントを有するカラーホイールを有する装置の照明の周波数の２倍である周波数でイメージャが連続的に照明されるやり方で、ホイールが回転されたとき、順次に光源により放出された多色灯のビームと交わる異なる色の６つのカラーセグメントを有している。イメージャにおける照明周波数における増加は、カラーブレイクアップ現象を有利に低減するのに寄与する。
【０００８】
ＩＢＭ特許US5863125は、カラーセグメントの２つのサブセットを有するカラーホイールを記載している。しかし、本発明とは異なり、これは、２つのイメージャを照明するためのスパシオ−クロマティックスプリッティング（spatio-chromatic  splitting）をもつ照明システムであり、カラーホイールのセグメントは、同一平面にはない（図４参照）。
【０００９】
様々な実施の形態によれば、ソースにより放出された多色灯のビームの波長のかかるレンジは、黄色及び／又はシアンをも含んでいる。このことは、イメージプロジェクタ（ビデオ）の分野では当たり前の光源を使用することを含んでおり、特定のタイプのソースに制限されることなしに、そのコストは、低くなる傾向にあり、その寿命は、長くなる傾向にある。
【００１０】
本発明の別の特徴によれば、コンポジットカラーのセグメントの少なくとも１つの同一平面にあるサブセットでは、赤及び緑に対応する波長のレンジの両者で少なくとも部分的に透過する前記セグメントは、黄色に対応する波長のレンジで少なくとも部分的に透過し、及び／又は、緑及び青に対応する波長のレンジの両者で少なくとも部分的に透過する前記セグメントは、シアンに対応する波長のレンジで少なくとも部分的に透過し、及び／又は、赤及び青に対応する波長のレンジの両者で少なくとも部分的に透過する前記セグメントは、マゼンダに対応する波長のレンジで少なくとも部分的に透過する。シアン、及び／又は黄色、及び／又はマゼンダに対応する波長のレンジで透過するカラーフィルタの使用は、コンポジットカラーセグメントが関係する限り、これらが光源により放出されたとき、波長のレンジの透過を可能にする。したがって、本発明に係るカラーホイールは、原色のサブセットに加えてコンポジットカラーにおいてセグメントのサブセットを含み、ホイールの１回転にわたり平均されたとき、上述された従来技術に記載されるような原色の２つの従来のサブセットを含むカラーホイールにより透過されたフォトンの束よりも大きなフォトンの束を透過する。次いで、このことは、画像の光束、言い換えれば光度を増加することに寄与する。本発明の別の特徴によれば、それぞれの同一平面のサブセットのセグメントは、このコンポジットカラーセグメントが透過する原色の２つのセグメント間にコンポジットカラーのそれぞれのセグメントが位置されるやり方で位置される。原色のセグメントに関するコンポジットカラーのセグメントの特定の位置は、カラーブレイクアップが著しく低減するのを可能にする。特に、上述された従来技術で記載されたように、たとえば、原色の赤をもつセグメントから原色の緑をもつセグメントへの突然のスイッチは、これら原色の２つのセグメントの間での、赤及び緑及び／又は黄色に対応する波長のレンジの両者で少なくとも部分的に透過するコンポジットカラーのセグメントの存在により有利にも和らげられる。
【００１１】
本発明の１実施の形態によれば、前記カラーホイールは、原色のセグメントの同一平面のサブセットの赤に関して非飽和とされた赤に対応する波長のレンジで透過するセグメント、原色のセグメントの同一平面のサブセットの緑に関して非飽和とされた緑に対応する波長のレンジで透過するセグメント、原色のセグメントの同一平面のサブセットの青に関して飽和された青に対応する波長のレンジで透過するセグメントを含む、非飽和とされた色のセグメントの少なくとも１つの同一平面のサブセットを有している。したがって、非飽和とされた色のセグメントは、非飽和とされていない原色のセグメントが行うよりも多くのフォトンの束を通して可能であると仮定すると、ホイールの１回転にわたり平均化される画像の光度が改善される。さらに、非飽和とされた色のそれぞれのセグメントが等価な色合いの原色のセグメントに隣接する環境では、カラーホイールの回転の方向では、２つの原色のセグメント間のスイッチは、非飽和とされた色の前記セグメントの中間の存在を通して突然ではなく行われ、色の急変の現象も低減される。
【００１２】
別の特徴によれば、前記カラーホイールは、黒のセグメントを有していない。たとえばＬＣＯＳイメージャといった液晶イメージャは、フレーム画素を書き込むためのデータが電気的にアドレス指定され、前記画素は、液晶の応答時間のために安定化される間数ミリ秒のオーダのデッドタイムの周期を有する。これは、イメージャがこの周期の間に照明されないので、カラーホイールのなかには光ビームを阻止するために黒のセグメントを有するものがある。システムの全体の光度は、これを行うために低減されるので、クロのセグメントなしでホイールを使用することが好ましい。このことは、実際にデッドタイムの周期を有さないＤＭＤタイプのイメージャの使用、及びそれぞれの画素又は画素のグループでメモリ又はトランジスタを有し、デッドタイムの周期を実際に有さない新世代のＬＣＯＳイメージャの使用により可能である。カラーホイールでの黒のセグメントの結果として、黒又は非常に暗いエレメントがスクリーンに現れる時間の低減又は完全な除去により、連続的な照明システムにより表示されるそれぞれの色彩画像の間の色の急変の知覚される現象を低減するのが可能である。
【００１３】
これは、特に、黒のセグメントがフレームの時間に対して存在する時間の割合に従って画像ビューイングシステムの光束を増加するという利点を与える。
【００１４】
したがって、黒のセグメントを含まないカラーホイールを使用して構成される画像の高度は良好であり、色の急変は知覚することができない。
【００１５】
本発明の１つの特徴によれば、かかる照明装置は、画像投影及び／又はビューイングシステム自身に含まれており、行及び列で配列される画素のアレイを含むイメージャ、及び投影スクリーンに前記イメージャからの画像を投影するために設計される投影レンズを更に有している。このように得られた画像の投影及びビューイングシステムは、特に、視聴者にとって実際に知覚することができないハイレベルの光度及び色が急変する現象を有している。
【００１６】
本発明の別の特徴によれば、本発明に係る照明装置を含む画像を投影及び／又はビューするための前記システムは、イメージャの画素の書き込みを命令するように前記画像のビデオデータを管理するためのビデオデータ管理手段、イメージャでの照明の色に従ってビデオ出力データを同期させる同期手段を有しており、前記ビデオデータ管理手段は、原色に関するビデオ入力データを受信するためのビデオ入力インタフェース、イメージャに書き込むためのビデオ出力データを送出するためのビデオ出力インタフェース、及びメモリを有している。ビデオデータ管理手段は、メモリにおいて、原色に関するビデオ入力データを、原色、コンポジットカラー、及び必要に応じて非飽和とされた色に関するビデオ出力データに変換するための係数及び／又は値からなる少なくとも１つのテーブルを有している。
【００１７】
このように、ビデオデータ管理手段は、３つのＲ，Ｇ及びＢのパラレルバスからのビデオデータを、カラーホイールの各種セグメントに対応するデータを直列に伝送する単一のバスに変換する。
【００１８】
本発明の１つの特徴によれば、ビデオデータ管理手段からの原色及び／又はコンポジットカラー及び／又は非飽和とされた色に関する前記ビデオ出力データは、イメージャでの照明の色で同期される。このように、視聴者は、色が混合する作用なしに、良好な品質のカラー画像を見る。
【００１９】
また、本発明は、イメージャの連続的な照明のためのシステムに関し、本システムは、少なくとも赤、緑及び青を含む波長のレンジで多色灯のビームをイメージャに向けて放出するソース、イメージャの動作領域にわたりソースからの光を一様に分散するための光学的手段、少なくとも２つの同一平面にある反射型セグメントのサブセットを有し、これらセグメントのうちの少なくとも１つが前記ビームと交わるやり方で位置され、前記セグメントに前記ビームが交わる領域を次々にファイルさせるやり方で回転手段に設けられるカラーホイールを備えており、それぞれのセグメントの同一平面のサブセットは、前記ビームが交わる領域を次々にファイルしたときに参照の白を構成するために調整される異なる色、色合い、飽和、反射率、及びサイズの３つの同一平面のセグメントを有する。カラーホイールは、赤に対応する波長のレンジで反射するセグメント、緑に対応する波長のレンジで反射するセグメント、青に対応する波長のレンジで反射するセグメントを含む、少なくとも１つの原色のセグメントのサブセットを有している。
【００２０】
カラーホイールは、赤及び緑に対応する波長のレンジの両者で少なくとも部分的に反射するセグメント、緑及び青に対応する波長のレンジの両者で少なくとも部分的に反射するセグメント、及び赤及び青に対応する波長のレンジの両者で少なくとも部分的に反射するセグメントを含む、コンポジットカラーの同一平面にあるセグメントの少なくとも１つのサブセットを有しており、前記セグメントの前記コンポジットカラーのいずれも、白の色合いを生成しない。
【００２１】
さらに、本発明は、本発明に従って先に定義されたような、少なくとも１つのイメージャを有する投影機器、イメージャのそれぞれの連続的な照明のためのシステム、及びかかる１以上のイメージャにより作成される画像を投影するための手段に関する。
【発明を実施するための最良の形態】
【００２２】
本発明は、限定するものではない例を通して、及び添付図面を参照して以下の説明を読むことで良好に理解されるであろう。説明を簡単にし、本発明が従来技術に対して提供すべき相違及び利点を明らかにするため、同じ参照符号には同じ機能を果たすエレメントについて使用されている。
【００２３】
図１を参照して、１つのイメージャを備えるタイプの画像をビューイング及び／又は投影するシステムの一般的な動作原理が説明される。
【００２４】
１つのイメージャ又は１つのバルブシステムを備える投影システムは、図１に概念的に示されている。本システムは、特に光源２を有する照明システム１を備えており、この光源は、クロマティックスプリッタ１０に光を送出し、このクロマティックスプリッタは、たとえば、赤、緑及び青（ＲＧＢ）で交互に色づけされた光のビームで１つのイメージャ１２を連続的に照明する役割が割り当てられているか、又は、代替的に、光源２からの光をコリメータ（collimating  device）といった中間的な光学装置２を通して異なる色の光のバンドに光源２からの光を分離する（カラースクロールとして知られるプロセス）が割り当てられている。カラースクロール照明システムは、以下に更に詳細に記載されない。
【００２５】
照明システム１からの光は、画素のアレイを備える透過型又は反射型のイメージャ１２を例示しており、この画素のアレイの書き込みは、特に、同期手段１１と関連されるビデオデータ管理手段１１１により管理され、この同期手段は、照明システム１からの光をかかるビデオデータ管理手段から生じるビデオデータと同期させるか、逆に、受けた照明の色に従って、入射光を変調するようにイメージャ１２の画素の書き込みを要求するビデオデータを同期させる。イメージャ１２での透過又は反射の後、このように変調された光は、投影レンズ４を介してスクリーン５に投影される。光源２と共に装置３及び４は公知であり、以下に更に詳細に記載されない。
【００２６】
本発明に係るシーケンシャルクロマティックスプリッタ１０は、カラーホイール６を備えている。カラーホイールは、ホイール６が回転するとき、白の光源２から放出される、一般に白の色合いである多色灯のビームに交互に交わる、一般に赤６１Ｒ、緑６１Ｇ及び青６１Ｂカラーフィルタである、透過型のカラーセグメント又はセクタ６１を備える、回転手段のその軸に設けられるディスクを意味するとして理解される。このケースでは、光源２により放出された光のビームは、ホイール６を透過しているか又はホイール６から反射しており、カラーセグメントが透過型であるか反射型であるかに依存して、交互に、赤い光のビームＲ、緑の光のビームＧ、及び青い光のビームＢである。図２ａ及び図２ｂを参照して、図２ａは、従来技術から知られている３つのカラーセグメント６１Ｒ，６１Ｇ，６１Ｂ、白の色合い６１Ｗの１つのセグメントである４つのセグメントをもつカラーホイール６を示し、図２ｂは、従来技術から知られているＲＧＢに色づけられる６つのカラーセグメントをもつカラーホイール６を示している。
【００２７】
図３ａは、本発明の好適な実施の形態に係る、カラーホイール６  ６１Ｒ−６１Ｙ（ＲＧ）−６１Ｇ−６１Ｃ（ＧＢ）−６１Ｂ−６１Ｍ（ＢＲ）を示しており、このカラーホイールは、２つの同一平面にあるセグメントのサブセットを備えており、１つのサブセットは、３つのカラーセグメントからなり、赤のセグメント６１Ｒのケースでは赤に対応する波長のレンジ、緑のセグメント６１Ｇのケースでは緑に対応する波長のレンジ、及び青のセグメント６１Ｂのケースでは青に対応する波長のレンジ、において透過型であり、さらに、１つのサブセットは、３つのカラーセグメントからなり、コンポジットカラーのセグメント６１Ｙ（ＲＧ）のケースでは特に黄色及び／又は赤及び緑であるコンポジットカラーに対応する波長のレンジ、コンポジットカラーのセグメント６１Ｃ（ＧＢ）のケースではシアン及び／又は緑及び青であるコンポジットカラーに対応する波長のレンジ、並びに、コンポジットカラーのセグメント６１Ｍ（ＢＲ）のケースではマゼンダ及び／又は青及び赤であるコンポジットカラーに対応する波長のレンジ、において透過型である。黄色のケースではコンポジットカラーセグメント６１Ｃ（ＧＢ）、シアンのケースではコンポジットカラーセグメント６１Ｃ（ＧＢ）、及びマゼンダのケースではコンポジットカラーセグメント６１Ｍ（ＢＲ）を通して一般に透過される黄色、シアン及びマゼンダについての光束は、イメージャの光度を強調するのに寄与する。コンポジットカラーセグメント６１Ｃ（ＧＢ）、６１Ｍ（ＢＲ）及び６１Ｙ（ＲＧ）は、かかるセグメントのそれぞれが２つの原色のセグメント６１Ｒ、６１Ｇ及び６１Ｂの間に位置されるようなやり方で位置され、このために、波長レンジにおいて同時に、少なくとも部分的に透過型である。
【００２８】
図３ｂは、本発明の変形例によるカラーホイール６を示しており、原色のセグメント６１Ｒ，６１Ｇ，６１Ｂのサブセット、コンポジットカラーセグメント６１Ｙ（ＲＧ）、６１Ｃ（ＧＢ）、６１Ｍ（ＢＲ）のサブセット、並びに、非飽和された赤のセグメントのケースでは非飽和された原色のセグメント６１Ｒ’のサブセット、非飽和された緑のセグメントのケースでは非飽和された原色のセグメント６１Ｇ’のサブセット及び非飽和された青のセグメントのケースでは非飽和された原色のセグメント６１Ｂ’のサブセットを備えている。
【００２９】
図４は、原色のセグメント６１Ｒ，６１Ｇ及び６１Ｂの第一のサブセット、及び非飽和とされた原色のセグメント６１Ｒ’，６１Ｇ’及び６１Ｂ’の第二のサブセットを備えているカラーホイール６を示している。
【００３０】
図５ａ及び図５ｂは、水銀柱を利用した、ＵＨＰ（Ultra-High  Pressure）タイプの、今日の画像投影及び／又は表示システムで一般に使用される光源１２の放射スペクトルＳのプロファイルを示しており、それぞれ、図５ａのケースでは、原色フィルタ又はセグメントＲＧ及びＢにより透過される波長のレンジのプロファイルに関連し、図５ｂのケースでは、コンポジットカラーフィルタ、又はシアンＣ、マゼンダＭ及び黄色Ｙのセグメントにより透過される波長のレンジのプロファイルに関連している。例を通して、使用されるカラーフィルタの５０％を超える相対強度又は透過のための波長のレンジは、青フィルタＢのケースでは５００ナノメートル（ｎｍ）よりも短く、赤フィルタＲのケースでは６００ｎｍよりも長く、緑フィルタＧのケースでは５２０ｎｍと５６４ｎｍの間であり、シアンフィルタＣのケースでは５６４ｎｍよりも短く、マゼンダフィルタＭのケースでは５２０ｎｍよりも短く、６００ｎｍよりも長く、黄色フィルタＹのケースでは５３０ｎｍと６８４ｎｍの間である。
【００３１】
選択されたＵＨＰタイプの光源Ｓの放出スペクトルは、特に、青又はシアン又はマゼンダ色のセグメントが透過する４４０ナノメートル近くの第一の放射ピーク、緑又はシアン又は黄色のセグメントが透過する５５０ナノメートル近くの第二の放射ピーク、及び黄色のセグメントが透過する５８０ナノメートル近くの第三の放射ピークに対応することがわかる。先に記載されたように、コンポジットカラーセグメント又はフィルタの存在により、原色Ｒ，Ｇ及びＢに対応する光束に加えて、シアン、マゼンダ及び黄色に対応する光束の透過を可能にし、これらの色は、たとえばシアンのケースでは青及び緑から構成され、マゼンダのケースでは青及び赤から構成され、並びに、黄色のケースでは赤及び緑から構成される。このように、カラーホイールは、たとえば３原色のセグメントＲ，Ｇ及びＢのサブセット、並びに３つのコンポジットカラーセグメントＣ（ＧＢ）、Ｍ（ＢＲ）及びＹ（ＲＧ）のサブセットを有しており、それぞれのセグメントは、ディスクの６分の１を表現しており、すなわちディスクの軸で６０°の角度の範囲を定めるセグメントは、シアンＣ又はマゼンダＭ又は黄色Ｙに対応する波長のレンジで透過するコンポジットカラーセグメントに加えて、青Ｂに対応する波長のレンジで透過する３つのセグメント、緑Ｇに対応する波長のレンジで透過する３つのセグメント及び赤Ｒに対応する波長のレンジで透過する３つのセグメントである、軸で６０°の角度の範囲を定める９つのセグメントと匹敵する。
【００３２】
図６は、一方で原色セグメントＲ，Ｇ及びＢ（これはＲＧＢトライアングル）のサブセットを通して透過される色について、他方で３つのコンポジットカラーセグメントＣ，Ｍ，Ｙ（これはＣＭＹトライアングル）のサブセットを通して透過される色についてのＣＩＥ１９３１色度ダイアグラム（International  Commission  on  Illumination）を示している。コンポジットカラーＣ，Ｍ，Ｙのサブセットにより生成される白の色合いは、ＵＨＰ光源により放出され、かかるサブセットにより透過される黄色の高いピークのために、黄色に向かって僅かにオフセットされる場合がある。しかし、ダウンストリームソフトウェア処理を使用するか、代替的に、黄色のカラーフィルタ６１Ｙ（ＲＧ）を非飽和させることで、システムの仕様に従ってこの白の色合いを補正することが可能である。指示により、原色セグメントのサブセット及びコンポジットカラーセグメントのサブセットにより生成された白の色合いＷは、図において目に見ることができる。本発明の好適な実施の形態に係る、図３に示されるカラーホイール６での原色セグメント及びコンポジットカラーセグメント６１Ｒ−６１Ｙ（ＲＧ）−６１Ｇ−６１Ｃ（ＧＢ）−６１Ｂ−６１Ｍ（ＢＲ）の組織化された交替は、ＣＩＥ１９３１ダイアグラム上で、赤とマゼンダの座標が近いこと、次いでマゼンダと青の座標が近いこと、次いで青とシアンの座標が近いこと、次いでシアンと緑の座標が近いこと、次いで緑と黄色の座標が近いこと、次いで黄色と赤の座標が近いことに基づいている。このＲＭＢＣＧＹの順序で色をファイルすること（filing）で、急な変化は少なくなり、したがってカラーブレイクアップ現象が低減される。
【００３３】
図７は、一方で３つの原色セグメントＲ，Ｇ及びＢのサブセット（これはＲＧＢトライアングル）を通して、他方で３つの非飽和とされたカラーセグメントＲ’，Ｇ’及びＢ’（これはＲ’Ｇ’Ｂ’トライアングル）を通して透過された色についてＣＩＥ１９３１色度ダイアグラムを示している。一般に、表示される画像における色の大部分は、比較的狭い範囲にある。表示される画像の色が常に飽和されていないと仮定すると、カラーホイールでの非飽和とされていないセグメントの存在は、それらの品質が悪影響されることなしに表示される画像の光度を強化するのが可能である。
【００３４】
図８は、たとえば好適な実施の形態によれば、従来のＲＧＢビデオ信号９を入力として受け、それらをＲ−Ｍ−Ｂ−Ｃ−Ｇ−Ｙビデオ信号９１に変換するビデオデータ管理手段１１を示しており、カラーホイール、この例では、Ｒ、Ｙ（ＲＧ）、Ｇ、Ｃ（ＧＢ）、Ｂ及びＭ（ＢＲ）における光で交互にイメージャを照明することができる図３に記載される６１Ｒ−６１Ｙ（ＲＧ）−６１Ｇ−６１Ｃ（ＧＢ）−６１Ｂ−６１Ｍ（ＢＲ）ホイール６と、イメージャの画素の書き込みとをできるだけ正確にすることができる。
【００３５】
図９は、ビデオデータ管理手段１１、イメージャ１２に書き込むために入力信号９Ｒ、９Ｇ及び９ＢをＲＧＢＣＭＹ出力信号９１に変換するように、特にメモリ７における係数のテーブル７１の存在をより詳細に記載している。
【００３６】
本発明に係る好適な実施の形態は、図３ａに記載されるように、赤、緑及び青（ＲＧＢ）の３つの原色セグメントからなる第一のサブセット、並びに、シアン、マゼンダ及び黄色（ＣＭＹ）の３つのコンポジットカラーセグメントからなる第二のサブセットを有するカラーホイール６を使用することからなり、それぞれのセグメントは、カラーホイールの全体の領域の６分の１を占めている。しかし、それぞれのセグメントは異なる場合があり、異なる色バランス及び／又はスクリーンでのより高い光度が得られるようなやり方で構成される場合がある。たとえば、ＵＨＰタイプの光源２は、それが形成されるカラーセグメント６１Ｒ、６１Ｙ（ＲＧ）、６１Ｇ、６１Ｃ（ＧＢ）、６１Ｂ及び６１Ｍでその軸に関して回転するカラーホイール６が連続的にチョップする光のビームを放出する。カラーホイール６のセグメントを通過することで生じるカラーの光のビームは、画素を備えるイメージャ１２を照明する。かかるイメージャの画素は、液晶（たとえばＬＣＯＳ）タイプ又はマイクロミラー（たとえばＤＭＤ）タイプからなる、平行六面体又は他の形状からなる、ジグザグ配置又は「ダイアモンド」コンフィギュレーションで揃えられるか又は配置される場合がある。
【００３７】
赤色Ｒの光ビーム、次いでマゼンダ色Ｍの光ビーム、次いで青色Ｂの光ビーム、次いでシアン色Ｃ、次いで緑色Ｇ及び黄色Ｙにより連続的に照射されるイメージャ１２は、ビデオデータ管理手段１１１により駆動され、この手段の役割は、イメージャが照明される色と同期して、イメージャ１２のそれぞれの画素又は画素のグループに書き込むことである。このために図８を参照して、Ｒ，Ｇ及びＢデータに関連するこれらのバス９Ｒ，９Ｇ，９Ｂの形式でＲＧＢタイプのビデオデータを受信するビデオデータ管理手段１１１は、出力でイメージャ１２への書き込みのためにビデオ信号を処理し、原色Ｒ，Ｇ及びＢに関連するビデオ信号ＳR、ＳG及びＳB、並びに、コンポジットカラーＣ，Ｍ及びＹに関連するビデオ信号ＳC、ＳM及びＳYを含むR-M-B-C-G-Y出力データに関するシングルバス９１を生成する。かかる信号は、たとえば、カラーホイール６の位置を測定する測定装置（図示せず）の、イメージャ１２が現実に照射される色と同期される。R-M-B-C-G-Yビデオ出力データ９１は、それぞれのうちの１つが入力バス９のためである３つの乗算器８のセット、及び加算器１３を使用して、９Ｒ、９Ｇ及び９Ｂ入力データに基づいて計算される。ＳR、ＳG及びＳBビデオ出力信号９１は、ＳR、ＳG及びＳB入力信号９に対応しているが（ＫPR＝ＫGG＝ＫBB＝１）、コンポジットカラーＣ，Ｍ及びＹのビデオ信号は、メモリ７に含まれるテーブル７１に含まれている係数ＫRR、ＫRM、ＫRB、ＫRC、ＫRG、ＫRY、ＫGR、ＫGM、ＫGB、ＫGC、ＫGG、ＫGY、ＫBR、ＫBM、ＫBB、ＫBC、ＫBG、ＫBYから計算される。
【００３８】
たとえば、ＳC、ＳM及びＳYの値は、以下のようにＳR、ＳG及びＳBから計算される。
【００３９】
【数１】
2007504514.tif 000003
係数の値は、たとえば以下のようである。
【００４０】
【表１】
2007504514.tif 000004
係数ＫRR、ＫRM、ＫRB、ＫRC、ＫRG、ＫRY、ＫGR、ＫGM、ＫGB、ＫGC、ＫGG、ＫGY、ＫBR、ＫBM、ＫBB、ＫBC、ＫBG、ＫBYを含むテーブル７１は、たとえ不揮発性のＥＥＰＲＯＭタイプのメモリ７に含まれていることが好ましく、係数は、カラーホイール６の位置に従って連続的に読み取られる。
【００４１】
別の実施の形態は、図３ｂに示されるようなカラーホイールを使用することからなる。ホイール６は、３つの同一平面にあるカラーセグメント６１のサブセット及び原色セグメントＲＧＢのサブセット、コンポジットカラーセグメントＣＭＹのサブセット、並びに、非飽和とされた原色セグメントのサブセット６１Ｒ’（非飽和とされた赤セグメントのケース）、６１Ｇ’（非飽和とされた緑セグメントのケース）、及び６１Ｂ’（非飽和とされた青セグメントのケース）のサブセットを備えている。かかる非飽和とされたカラーセグメント６１Ｒ’、６１Ｇ’及び６１Ｂ’は、非飽和とされた原色セグメント６１Ｒ’、６１Ｇ’又は６１Ｂ’のそれぞれが等価な色合いの非飽和とされていない原色のセグメント６１Ｒ，６１Ｇ又は６１Ｂのそれぞれに隣り合うようなやり方で編成されることが好ましい。これにより、たとえば原色セグメント、非飽和とされた原色セグメント及びコンポジットカラーセグメントを交互にすることができる。
【００４２】
図４に示される別の実施の形態は、原色Ｒ，Ｇ，Ｂのサブセット及び非飽和とされた原色Ｒ’，Ｇ’，Ｂ’のサブセットである、２つのカラーセグメントのサブセットを含むカラーホイールからなる。この実施の形態では、先に実施の形態におけるように、飽和のレベル及びカラーセグメントの寸法は、スクリーンに所望の光度を得るようなやり方で構成される場合がある。非飽和とされたカラーセグメントは、非飽和とされた原色セグメントが等価な色合いの非飽和とされていない原色セグメントに隣接するようなやり方で編成されることが好ましい。
【００４３】
最後に、如何なる実施の形態であっても、ビデオデータ管理手段１１１は、係数Ｋ’RR、Ｋ’RM、Ｋ’RB、Ｋ’RC、Ｋ’RG、Ｋ’RY、Ｋ’GR、Ｋ’GM、Ｋ’GB、Ｋ’GC、Ｋ’GG、Ｋ’GY、Ｋ’BR、Ｋ’BM、Ｋ’BB、Ｋ’BC、Ｋ’BG、Ｋ’BYからなる少なくとも１つのテーブル７１をメモリ７に含んでおり、その係数の値は、イメージャ１２に書き込むための出力ビデオデータ９１がイメージャ１２を照明する色と適切に準じるようなやり方で構成される。
【００４４】
勿論、本発明は、先に記載された実施の形態に制限されない。
特に、当業者であれば、特にそれらの順序及びそれらの数の観点で、他の構成のカラーホイールのセグメントを適合させて提供するためにカラーホイールを適合することができる。前に示されたように、コンポジットカラーセグメントは、２つの色（緑−青、緑−赤又は青−赤）を透過することができる。本発明の変形によれば、緑−青及び緑−赤、セグメントは、中間的な周波数でシアン及び黄色といったそれぞれの色を透過する。したがって、フィルタリングされたビームの光度は強調され、これら色の認識に対応する波長のレンジで放出する光源の使用が最適化される。
【００４５】
本発明の変形例によれば、ホイールのセグメントは、透過型で使用されるのではなく反射型である。したがって、図１を参照して例示される投影システムでは、光源２及び中間の光学装置３は、反射で使用されるカラーホイールを照明する。カラーホイールの軸は、照明システムのエレメントがカラーホイールを反射することで得られるカラービームの伝播を損なわないように、イメージャ１２の軸に関して傾斜される。
【００４６】
本発明の変形となる実施の形態によれば、カラーホイールは、２つの同一平面にあるセグメントのサブセットを備えている。１つのサブセットは、３つのカラーセグメントからなり、これらのセグメントは、赤セグメントＲのケースでは赤に対応する波長のレンジで反射し、緑セグメントＧのケースでは緑に対応する波長のレンジで反射し、青セグメントＢのケースでは青に対応するレンジで反射する。１つのセグメントは、３つのカラーセグメントからなり、これらのセグメントは、特に、コンポジットカラーセグメントＹ（ＲＧ）のケースでは赤及び緑及び青であり、コンポジットカラーセグメントＣ（ＧＢ）のケースでは緑及び青及びシアンであり、並びに、コンポジットカラーセグメントＭ（ＢＲ）のケースでは青及び赤及びマゼンダである、コンポジットカラーに対応する波長のレンジで反射する。
【００４７】
黄色のケースであるコンポジットカラーセグメントＹ（ＲＧ）、シアンのケースであるコンポジットカラーセグメントＣ（ＧＢ）、及びマゼンダのケースであるコンポジットカラーセグメントＭ（ＢＲ）により反射される黄色、マゼンダ及びシアンの光束は、イメージャの光度を強化するのに寄与する。コンポジットカラーセグメントＣ（ＧＢ）、Ｍ（ＢＲ）及びＹ（ＲＧ）は、波長レンジで少なくとも部分的に反射型である２つの原色のセグメントＲ，Ｇ及びＢの間に位置されるようなやり方で位置されるのが好ましい。
【００４８】
この変形例の１つの特定の実施の形態によれば、それぞれの同一平面にあるサブセットのセグメントは、それぞれのコンポジットカラーセグメントが、このコンポジットカラーセグメントが反射する２つの原色セグメント間に位置されるようなやり方で位置される。このように、カラーブレイクアップが著しく低減される。
【００４９】
この変形の別の特定の実施の形態によれば、カラーホイールは、原色のセグメントの同一平面にあるサブセットの赤に関して非飽和とされた赤に対応する波長のレンジで反射するセグメント、原色のセグメントの同一平面にあるサブセットの緑に関して非飽和とされる緑に対応する波長のレンジで反射するセグメント、及び原色セグメントの同一平面にあるサブセットの青に関して非飽和とされる青に対応する波長のレンジで反射するセグメント、を備える非飽和とされた色の反射型のセグメントからなる少なくとも１つの同一平面にあるサブセットを含んでいる。したがって、ホイールの１回転にわたり平均化される画像の光度が改善される。さらに、それぞれ非飽和とされたカラーセグメントが等価な色合いの原色セグメントに隣接する実施の形態では、カラーホイールが回転する方向において、カラーブレイクアップ現象も低減される。
【００５０】
この変形（反射型セグメントをもつカラーホイール）の更に別の特定の実施の形態によれば、カラーホイールは黒のセグメントを有さない。したがって、光度が改善され、カラーブレイクアップが知覚されなくなる。
【００５１】
本発明の変形によれば、反射で使用されるセグメントを含むカラーホイールは、先に記載された実施の形態に係る透過型セグメントを含むカラーホイールとの比較により二重のやり方で使用される。同じ変形が反射型のセグメントに適用され、利点も同じである。したがって、これらは更に説明されない。
【００５２】
一般に、イメージャの方向に光束を透過又は反射するためにそれぞれ設計される透過型反射型セグメントは、イメージャの方向に光束を伝播するために設計される光フィルタリングセグメントにリンクされる場合がある。
【００５３】
また、本発明は、たとえば、対物レンズ、１以上の反射ミラー（コンパクト又はノンコンパクト背面投影機器のケース）及びスクリーン（背面投影機器のケース）といった、透過型又は反射型セグメント及び１以上のイメージャにより形成された画像を投影する手段をもつそれぞれのイメージャの連続照明のためのシステムのような、少なくとも１つのイメージャを備える前面投影及び背面投影機器にも関する。
【００５４】
したがって、投影機器は、本発明によれば１つのイメージャ又は２つのイメージャを備えている（それぞれのイメージャは、３つの原色と３つのコンポジットカラーからなる少なくとも６つのセグメントを有するカラーホイールにより伝播されるビームにより照明され、このケースでは、同一のカラーホイールは両方のイメージャについて使用することができる（たとえば、両方のイメージャについて同一のカラーホイールが反射型又は透過型のいずれかで使用されるコンフィギュレーションであるか、代替的に、同一のカラーホイールが一方のイメージャについて反射型で使用され、他方のイメージャについて透過型で使用されるコンフィギュレーション）若しくは、対照的に、２つの個別のホイールが使用される）。
【図面の簡単な説明】
【００５５】
【図１】単一のイメージャ又は単一のバルブシステムをもつ画像投影システムのメインエレメントを概念的に示す図である。
【図２】図２ａは、３色のセグメント及び白の色合いのセグメントを含むカラーホイールを示し、図２ｂは、従来技術に記載される６つのカラーセグメントＲＧＢを含むカラーホイールを示している。
【図３】図３ａは、本発明の好適な実施の形態に従う、異なる色の３つのセグメントの２つの同一平面のサブセット、原色の１つのサブセット、及びコンポジットカラーの１つのサブセットを含むカラーホイールを示し、図３ｂは、本発明の別の実施の形態に従う、図３ａに示されるカラーホイールの２つのサブセットに加えて、非飽和とされた原色の３つのセグメントのサブセットを含むカラーホイールを示す図である。
【図４】原色のセグメントのサブセット、及び非飽和とされた原色のサブセットを特に有するカラーホイールを示す図である。
【図５】図５ａは、一般の光源の放射スペクトル及び原色ＲＧＢフィルタが透過する波長のレンジを示すグラフであり、図５ｂは、同じ一般の光源の放射スペクトル及びコンポジットカラー黄色（Ｒ＋Ｇ）、マゼンダ（Ｂ＋Ｒ）及びシアン（Ｇ＋Ｂ）フィルタにより透過された波長のレンジを示すグラフである。
【図６】本発明の好適な実施の形態に係るコンポジットカラーのセグメントのサブセットを含むカラーホイールを通して透過された色のＣＩＥ１９３１（International  Commission  on  Illumination）色彩ダイアグラムを示す図である。
【図７】本発明の別の実施の形態に係る非飽和とされた原色のセグメントのサブセットを含むカラーホイールを通して透過された色のＣＩＥ１９３１（International  Commission  on  Illumination）色彩ダイアグラムを示す図である。
【図８】本発明の好適な実施の形態に係るビデオデータ管理手段を示す図である。
【図９】本発明の好適な実施の形態に係るビデオデータ管理手段を示す図である。
【図１】
2007504514.tif 000005
【図２ａ】
2007504514.tif 000006
【図２ｂ】
2007504514.tif 000007
【図３ａ】
2007504514.tif 000008
【図３ｂ】
2007504514.tif 000009
【図４】
2007504514.tif 000010
【図５ａ】
2007504514.tif 000011
【図５ｂ】
2007504514.tif 000012
【図６】
2007504514.tif 000013
【図７】
2007504514.tif 000014
【図８】
2007504514.tif 000015
【図９】
2007504514.tif 000016
【手続補正書】
【提出日】平成17年3月8日(2005.3.8)
【手続補正１】
【補正対象書類名】特許請求の範囲
【補正対象項目名】請求項１
【補正方法】変更
【補正の内容】
【請求項１】
イメージャを連続して照明するシステムであって、
少なくとも赤、緑及び青を含む波長のレンジで多色灯のビームを前記イメージャに向けて放出するソースと、
前記イメージャの動作領域にわたり前記ソースからの光を一様に分散するための光学的手段と、
少なくとも２つの同一平面にある透過型セグメントのサブセットを有し、これらセグメントのうちの少なくとも１つが前記ビームと交わるように位置され、前記セグメントに前記ビームが交わる領域を次々にファイルさせるやり方で回転手段に設けられるカラーホイールとを備えており、
それぞれの同一平面にあるセグメントのサブセットは、前記ビームが交わる領域を次々にファイルしたときに参照の白を構成するために調整される異なる色、色合い、飽和、透過率及びサイズからなる３つのセグメントを有し、
前記カラーホイールは、赤に対応する波長のレンジで透過するセグメント、緑に対応する波長のレンジで透過するセグメント、及び青に対応する波長のレンジで透過するセグメントを含む少なくとも１つの原色のセグメントのサブセットを有しており、
前記カラーホイールは、赤及び緑に対応する波長のレンジの両者で少なくとも部分的に透過する黄色のセグメント、緑及び青に対応する波長のレンジの両者で少なくとも部分的に透過するシアンのセグメント、及び赤及び青に対応する波長のレンジの両者で少なくとも部分的に透過するマゼンダのセグメントを含むコンポジットカラーからなる同一平面にあるセグメントの少なくとも１つのサブセットを備え、同一のセグメントの前記コンポジットカラーのいずれも白の色合いを生成しない、
ことを特徴とするシステム。
【手続補正２】
【補正対象書類名】特許請求の範囲
【補正対象項目名】請求項１０
【補正方法】変更
【補正の内容】
【請求項１０】
イメージャの連続的な照明のためのシステムであって、
少なくとも赤、緑及び青を含む波長のレンジで多色灯のビームを前記イメージャに向けて放出するソースと、
前記イメージャの動作領域にわたり前記ソースからの光を一様に分散するための光学的手段と、
少なくとも２つの同一平面にある反射型セグメントのサブセットを有し、これらセグメントのうちの少なくとも１つが前記ビームと交わるように位置され、前記セグメントに前記ビームが交わる領域を次々にファイルさせるやり方で回転手段に設けられるカラーホイールとを備え、
それぞれのセグメントの同一平面にあるサブセットは、前記ビームが交わる領域を次々にファイルしたときに参照の白を構成するために調整される異なる色、色合い、飽和、反射率及びサイズの３つの同一平面にあるセグメントを有し、
前記カラーホイールは、赤に対応する波長のレンジで反射するセグメント、緑に対応する波長のレンジで反射するセグメント、及び青に対応する波長のレンジで反射するセグメントを含む原色のセグメントの少なくとも１つのサブセットを有し、
前記カラーホイールは、赤及び緑に対応する波長のレンジの両者で少なくとも部分的に反射する黄色のセグメント、緑及び青に対応する波長のレンジの両者で少なくとも部分的に反射するシアンのセグメント、及び赤及び青に対応する波長のレンジの両者で少なくとも部分的に反射するマゼンダのセグメントを含むコンポジットカラーの同一平面にあるセグメントの少なくとも１つのサブセットを備え、同一のセグメントの前記コンポジットカラーのいずれも白の色合いを生成しない、
ことを特徴とするシステム。
【手続補正書】
【提出日】平成17年11月10日(2005.11.10)
【手続補正１】
【補正対象書類名】特許請求の範囲
【補正対象項目名】請求項９
【補正方法】変更
【補正の内容】
【請求項９】
前記イメージャの画素の書き込みを命令するように前記画像のビデオデータを管理し、
原色に関するビデオ入力データを受信するビデオ入力インタフェース、前記イメージャに書き込むためのビデオ出力データを送出するビデオ出力インタフェース、及びメモリを有するビデオデータ管理手段と、
前記イメージャでの照明の色に従ってビデオ出力データを同期させる同期手段とを備え、
前記ビデオデータ管理手段は、前記メモリにおいて、原色に関するビデオ入力データを、原色及び／又はコンポジットカラー及び／又は非飽和とされた色に関するビデオ出力データに変換する係数及び／又は値からなる少なくとも１つのテーブルを備える、
ことを特徴とする請求項８記載の画像ビューイングシステム。
【国際調査報告】
2007504514.tif 000017
2007504514.tif 000018
2007504514.tif 000019
2007504514.tif 000020
2007504514.tif 000021
2007504514.tif 000022